(57)【要約】【課題】各光ファイバ心線１０を目視によって瞬時に識別できると共に、各光ファイバ心線セット８を目視によって瞬時に識別できるようにする。【解決手段】複数枚の光ファイバ心線セット８を並べてテーブ心線用一括被覆層９により一体化しかつ光ファイバ心線セット８毎に分割可能に構成してあって、各光ファイバ心線セット８は、それぞれ、複数本の光ファイバ心線１０を並べてセット用一括被覆層１１により一体化してなる分割型光ファイバテープ心線７において、各光ファイバ心線１０の外周部にそれぞれ着色層１２を有すると共に、いずれかの光ファイバ心線セット８におけるセット用一括被覆層１１の外周部に半透明の着色を施してなる。【選択図】　　　図１
2004038010.tif 000002
【特許請求の範囲】
【請求項１】
複数枚の光ファイバ心線セットを並べてテーブ心線用一括被覆層により一体化しかつ前記光ファイバ心線セット毎に分割可能に構成してあって、各光ファイバ心線セットは、それぞれ、複数本の光ファイバ心線を並べてセット用一括被覆層により一体化してなる分割型光ファイバテープ心線において、各光ファイバ心線を識別できるように、各光ファイバ心線の外周部にそれぞれ心線識別情報を有すると共に、各光ファイバ心線セットを識別できるように、各光ファイバ心線セットにおける前記セット用一括被覆層の外周部にそれぞれセット識別情報を有することを特徴とする分割型光ファイバテープ心線。
【請求項２】
複数枚の光ファイバ心線セットを並べてテーブ心線用一括被覆層により一体化しかつ前記光ファイバ心線セット毎に分割可能に構成してあって、各光ファイバ心線セットは、それぞれ、複数本の光ファイバ心線を並べてセット用一括被覆層により一体化してなる分割型光ファイバテープ心線において、各光ファイバ心線を目視によって識別できるように、各光ファイバ心線の外周部にそれぞれ着色層を有すると共に、各光ファイバ心線セットにおける前記光ファイバ心線セットを目視によって識別できるように、少なくともいずれかの前記光ファイバ心線セットにおける前記セット用一括被覆層の外周部に半透明の着色を施してなることを特徴とする分割型光ファイバテープ心線。
【請求項３】
前記テーブ心線用一括被覆層及び前記セット用一括被覆層をそれぞれ紫外線硬化型樹脂により構成してなることを特徴とする請求項１又は請求項２に記載の分割型光ファイバテープ心線。
【請求項４】
請求項１から請求項３のうちのいずれかの記載の分割型光ファイバテープ心線を多数備えてなることを特徴とする光ファイバケーブル。
【発明の詳細な説明】
【０００１】
【発明の属する技術分野】
本発明は、光ファイバ心線セット毎に分割可能な分割型光ファイバテープ心線、及び光ファイバケーブルに関する。
【０００２】
【従来の技術】
従来技術について図面を参照して説明する。
【０００３】
図２は、従来の分割型光ファイバテープ心線の断面図である。
【０００４】
光ファイバテープ心線の中には図２に示すような分割型光ファイバテープ心線１があり、この分割型テープ心線１は別の光ファイバテープ心線（図示省略）との接続等を考慮して２枚に分割可能である。
【０００５】
即ち、分割型光ファイバテープ心線１は、２枚の光ファイバ心線セット２を並べてテープ心線用一括被覆層３により一体化しかつ２枚の光ファイバ心線セット２に分割可能である。また、各光ファイバ心線セット２は、それぞれ、４本の光ファイバ心線４を並べてセット用一括被覆層５により一体化してある。ここで、テープ心線用一括被覆層２及びセット用一括被覆層５は、それぞれ透明の紫外線硬化型樹脂により構成される。
【０００６】
また、各光ファイバ心線４を目視によって識別できるように、光ファイバ心線４の外周部には着色層６が有してあって、光ファイバ心線セット毎に４本の光ファイバ心線４の着色層６における色の組合せを変えることによって、各光ファイバ心線セット２を目視によって識別することも可能である。なお、図２中において左側の光ファイバ心線セット２における前記色の組合せは、青色，白色，白色，桃色であって、図２中において右側の光ファイバ心線セット２における前記色の組合せは、黄色，白色，白色，桃色である。
【０００７】
【発明が解決しようとする課題】
ところで、前述のような分割型光ファイバテープ心線１にあっては、着色層６の色により各光ファイバ心線４を目視によって瞬時に識別できるものの、前記色の組合せにより光ファイバ心線セット２を目視によって瞬時に識別することは容易でない。そのため、分割された光ファイバ心線セット２を前記別の光ファイバテープ心線に接続する作業等において、作業時間が長くなって作業能率が悪くなるという問題がある。特に、光ファイバケーブル（図示省略）内において光ファイバテープ心線の積層枚数が急増して、前記前記光ファイバケーブルの多心化傾向にある現状を考えると、前述の問題は今後より顕著になる。
【０００８】
【課題を解決するための手段】
請求項１に記載の発明にあっては、複数枚の光ファイバ心線セットを並べてテーブ心線用一括被覆層により一体化しかつ前記光ファイバ心線セット毎に分割可能に構成してあって、各光ファイバ心線セットは、それぞれ、複数本の光ファイバ心線を並べてセット用一括被覆層により一体化してなる分割型光ファイバテープ心線において、
各光ファイバ心線を識別できるように、各光ファイバ心線の外周部にそれぞれ心線識別情報を有すると共に、各光ファイバ心線セットを識別できるように、各光ファイバ心線セットにおける前記セット用一括被覆層の外周部にそれぞれセット識別情報を有することを特徴とする。
【０００９】
ここで、「各光ファイバ心線の外周部にそれぞれ心線識別情報を有する」とは、各光ファイバ心線の外周部にそれぞれ着色層を有することの他に、各光ファイバ心線の外周に心線識別符号を付することも含む意である。また、「前記セット用一括被覆層の外周部にそれぞれセット識別情報を有する」とは、前記セット用一括被覆層の外周部にそれぞれ着色を施すことの他に、前記セット用一括被覆層の外周部にセット識別符号を付することも含む意である。更に、「分割型光ファイバテープ心線」とは、分割型光ファイバテープコードを含む意である。
【００１０】
請求項１に記載の発明特定事項によると、各光ファイバ心線の外周部にそれぞれ心線識別情報を有するため、各光ファイバ心線を瞬時に識別できると共に、各光ファイバ心線セットにおける前記セット用一括被覆層の外周部にそれぞれセット識別情報を有するため、各光ファイバ心線セットを瞬時に識別できる。
【００１１】
請求項２に記載の発明にあっては、複数枚の光ファイバ心線セットを並べてテーブ心線用一括被覆層により一体化しかつ前記光ファイバ心線セット毎に分割可能に構成してあって、各光ファイバ心線セットは、それぞれ、複数本の光ファイバ心線を並べてセット用一括被覆層により一体化してなる分割型光ファイバテープ心線において、
各光ファイバ心線を目視によって識別できるように、各光ファイバ心線の外周部にそれぞれ着色層を有すると共に、各光ファイバ心線セットを目視によって識別できるように、少なくともいずれかの前記光ファイバ心線セットにおける前記セット用一括被覆層の外周部に半透明の着色を施してなることを特徴とする。
【００１２】
ここで、「少なくともいずれかの前記光ファイバ心線セットにおける前記セット用一括被覆層の外周部に半透明の着色を施してなる」とは、各光ファイバ心線セットにおける前記セット用一括被覆層の外周部にそれぞれ半透明の着色を施すことも含む意である。また、「前記セット用一括被覆層の外周部に半透明の着色を施す」とは、前記セット用一括被覆層の外周部に半透明の着色層を有することの他に、前記セット用一括被覆層全体を半透明の着色の材料から構成することも含む。更に、「分割型光ファイバテープ心線」とは、分割型光ファイバテープコードを含む意である。
【００１３】
請求項２に記載の発明特定事項によると、各光ファイバ心線の外周部にそれぞれ着色層を有するため、各光ファイバ心線を目視によって瞬時に識別できると共に、少なくともいずれかの前記光ファイバ心線セットにおける前記セット用一括被覆層の外周部に半透明の着色を施してあるため、各光ファイバ心線セットを目視によって瞬時に識別できる。
【００１４】
請求項３に記載の発明にあっては、請求項１又は請求項２に記載の発明特定事項によると、前記テーブ心線用一括被覆層及び前記セット用一括被覆層をそれぞれ紫外線硬化型樹脂により構成してなることを特徴とする。
【００１５】
請求項３に記載の発明特定事項によると、請求項１又は請求項２に記載の発明特定事項による作用と同様の作用を奏する。
【００１６】
請求項４に記載の発明にあっては、請求項１から請求項３のうちのいずれかの記載の分割型光ファイバテープ心線を多数備えてなることを特徴とする。
【００１７】
請求項４に記載の発明特定事項によると、請求項１から請求項３のうちのいずれの請求項に記載の発明特定事項による作用と同様の作用を奏する。
【００１８】
【発明の実施の形態】
以下、発明の実施の形態について図面を参照して説明する。
【００１９】
図１は、本発明の実施の形態に係わる分割型光ファイバテープ心線の断面図である。
【００２０】
図１に示すように、分割型光ファイバテープ心線７は、２枚の光ファイバ心線セット８を並べてテープ心線用一括被覆層９により一体化しかつ２枚の光ファイバ心線セット８に分割可能である。また、各光ファイバ心線セット８は、それぞれ、４本の光ファイバ心線１０を並べてセット用一括被覆層１１により一体化してある。ここで、テープ心線用一括被覆層９及びセット用一括被覆層１１は、それぞれ紫外線硬化型樹脂により構成されてあって、テープ心線用一括被覆層９は透明に構成してある。
【００２１】
各光ファイバ心線１０を目視によって識別できるように、各光ファイバ心線１０の外周部には着色層１２が有してあって、着色層１２はインク状の紫外線硬化型樹脂を硬化させてなるものである。ここで、図１中左側の光ファイバ心線セット８における４本の光ファイバ心線１０の着色層１２の色の組合せ、及び図１中右側の光ファイバ心線のセット８における４本の光ファイバ心線１０の着色層１２の組合せは、それぞれ、青色，白色，白色，桃色である。また、各光ファイバ心線１０の外周部に着色層１２を有する代わりに、各光ファイバ心線１０の外周部に心線識別符号（例えば特開平１０−２４６８４３号公報に示すような心線識別符号）を付するようにしてもよい。
【００２２】
各光ファイバ心線セット８を目視によって識別できるように、図１中左側の光ファイバ心線セット８におけるセット用一括被覆層１１（図１中ハッチングをしてある）の外周部に半透明の着色（緑色）を施してあって、図１中右側の光ファイバ心線セット８におけるセット用一括被覆層１１は透明に構成してある。ここで、前記右側の光ファイバ心線セット８におけるセット用一括被覆層１１を透明に構成する代わりに、前記右側の光ファイバ心線セット８におけるセット用一括被覆層１１の外周部に半透明の着色（緑以外の色）を施してもよい。また、「セット用一括被覆層１１の外周部に半透明の着色を施す」とは、セット用一括被覆層１１の外周部に半透明の着色層を有することの他に、セット用一括被覆層１１全体を半透明の材料から構成することも含む意である。更に、前記左側の光ファイバ心線セット８におけるセット用一括被覆層１１の外周部に半透明の着色を施す代わりに、前記左側の光ファイバ心線セット８におけるセット用一括被覆層１１の外周部にセット識別符号を付するようにしてもよい。
【００２３】
次に、本発明の実施の形態の作用について説明する。
【００２４】
各光ファイバ心線１０の外周部にそれぞれ着色層１２を有するため、各光ファイバ心線１０を目視によって瞬時に識別できると共に、前記左側の光ファイバ心線セット８におけるセット用一括被覆層１１の外周部に半透明の着色を施してあって、前記右側のセット用一括被覆層１１を透明に構成してあるため、各光ファイバ心線セット８を目視によって瞬時に識別できる。
【００２５】
以上の如き、本発明の実施形態によれば、各光ファイバ心線１０を目視によって瞬時に識別できると共に、各光ファイバ心線セット８を目視によって瞬時に識別できるため、分割された光ファイバ心線セット８を前記別の光ファイバテープ心線に接続する作業等において、作業時間を短くして作業能率の向上を図ることができる。
【００２６】
また、各光ファイバ心線セット８を目視によって瞬時に識別できるため、光ファイバ心線セット８における４本の光ファイバ心線１０の着色層１２の組合せによって光ファイバ心線セット８を識別する必要がなくなり、例えば、前記左側の光ファイバ心線セット８における４本の光ファイバ心線１０の着色層１２の色の組合せと、前記右側の光ファイバ心線セット８における４本の光ファイバ心線１０の着色層１２の組合せを同じにすることができる。
【００２７】
なお、本発明は、前述の発明の実施の形態の説明に限るものではなく、次のように適宜に変更可能である。
【００２８】
即ち、分割型光ファイバ心線７における光ファイバ心線セット８の枚数、各光ファイバ心線セット８における光ファイバ心線１０の本数を適宜に変更することができる。
【００２９】
また、分割型光ファイバテープ心線７をコード化して光ファイバテープコードに適用してもよく、更に、多数枚の分割型光ファイバテープ心線７を積層してケーブル化して光ファイバケーブルに適用してもよい。なお、この場合にも、略同一の作用、効果を奏するものである。
【００３０】
【発明の効果】
請求項１から請求項４のうちのいずれかの請求項に記載の発明によれば、各光ファイバ心線を瞬時に識別できると共に、各光ファイバ心線セットを瞬時に識別できるため、分割された前記光ファイバ心線セットを前記別の光ファイバテープ心線に接続する作業等において、作業時間を短くして作業能率の向上を図ることができる。
【図面の簡単な説明】
【図１】
本発明の実施の形態に係わる分割型光ファイバテープ心線の断面図である。
【図２】
従来の分割型光ファイバテープ心線の断面図である。
【符号の説明】
７　　　　　　分割型光ファイバテープ心線
８　　　　　　光ファイバ心線セット
９　　　　　　テープ心線用一括被覆層
１０　　　　　光ファイバ心線
１１　　　　　セット用一括被覆層
１２　　　　　着色層
【図１】
2004038010.tif 000003
【図２】
2004038010.tif 000004